(57)【特許請求の範囲】
【請求項１】
ガス器具用の圧力調整器の調整室に配置される振動膜部材に使用されるダイヤフラムにおいて、ダイヤフラムが、円盤状の本体部と、該本体部の上面の中心から上方に伸びる上方突出部と、本体部の下面の中心から下方に伸延しその伸延方向と交差する方向に、調整室に導入されるガスを制御する制御部材の一方端が挿入される挿入孔を有する下方突出部とを有し、これら各部が弾性材料により一体に成形されていることを特徴とするダイヤフラム。
【請求項２】
上方突出部の根元付近に、ダイヤフラム上に重畳配置されるダイヤフラム受の中心の穴と嵌合するくびれ部を有し、該くびれ部の上方に止め具と係合する係合部を有する請求項１に記載のダイヤフラム。
【請求項３】
下方突出部材が、本体部に連接して設けられた拡大部と、該拡大部から下方に伸延している伸延部とを有し、伸延部にガスを制御する制御部材の一方端が挿入される挿入孔が設けられている、請求項１又は２に記載のダイヤフラム。
【請求項４】
ガス器具用の圧力調整器の調整室に配置される振動膜部材において、振動膜部材が、円盤状の本体部と、該本体部の上面の中心から上方に伸びる上方突出部と、本体部の下面の中心から下方に伸延しその伸延方向と交差する方向に、調整室に導入されるガスを制御する制御部材の一方端が挿入される挿入孔を有する下方突出部とが弾性材料により一体に成形されてなるダイヤフラムと、中心に上記ダイヤフラムの上方突出部が貫通する穴を有するダイヤフラム上に重畳配置されるダイヤフラム受と、ダイヤフラム受の中心の穴を貫通して突出するダイヤフラムの上方突出部に嵌合してダイヤフラム上に重畳配置されたダイヤフラム受を固定する止め具とを具備することを特徴とする振動膜部材。
【請求項５】
円盤状の本体部と、該本体部の上面の中心から上方に伸びる上方突出部と、本体部の下面の中心から下方に伸延しその伸延方向と交差する方向に、調整室に導入されるガスを制御する制御部材の一方端が挿入される挿入孔を有する下方突出部とが弾性材料により一体に成形されてなるダイヤフラムと、中心に上記ダイヤフラムの上方突出部が貫通する穴を有するダイヤフラム上に重畳配置されるダイヤフラム受と、ダイヤフラム受の中心の穴を貫通して突出するダイヤフラムの上方突出部に嵌合してダイヤフラム上に重畳配置されたダイヤフラム受を固定する止め具とを具備する振動膜部材を有する、ガス器具用の圧力調整器。
【発明の詳細な説明】
【０００１】
【発明の属する技術分野】
本発明は小型ガス容器を使用するガス器具用の圧力調整器に関する。
【０００２】
【従来の技術】
着脱式の小型ガス容器を使用するガス器具では、ガス器具に装着された小型ガス容器から供給されたガスは、ガス器具の圧力調整器（ガバナー或いは減圧器ともいう）により圧力が調整された後、コック部を介し連結管を通ってバーナー部に送られる。
【０００３】
圧力調整器は、図６のように亜鉛ダイカスト製の圧力調整器本体２０と、カバー５４とからなり、圧力調整器本体２０は小型ガス容器３０のノズル部３１を受容する接続部４０と、ガスの圧力を調整する調整室５０と、ガスの流量を調整するコック部６０と、ガス排出口７０とを有する。
【０００４】
接続部４０には、接続部４０に挿入された小型ガス容器３０のノズル部３１を押し込んで開弁させてガスを噴出させると共に、小型ガス容器３０内のガス圧が異常に上昇して高圧のガスが噴出するような場合にはガスを遮断する役目を有する逆止弁が配置されている。
【０００５】
小型ガス容器３０から接続部４０に供給されたガスは、逆止弁の周囲の隙間を通って、次の調整室５０に送られる。
【０００６】
図７のように、調整室５０の上方は圧力調整手段５１により閉塞され、圧力調整手段５１は、上下動する振動膜部材５２と、該振動膜部材５２を下方に押圧しているバネよりなる戻し部材５３を有し、戻し部材５３は、バネ受けを兼ねたカバー５４により覆われている。カバー５４は圧力調整器本体２０にネジ止めされているが、振動膜部材５２の周縁部（ダイヤフラム８１の周縁部）はカバー５４と圧力調整器本体２０との間に挟まれて圧力調整器本体２０に固定されている。
【０００７】
図８のように、接続部４０と調整室５０との間には小孔４５が設けられ、調整室５０内の小孔４５の出口付近には開閉子５５が設けられている。開閉子５５は支点５６で枢軸支され、開閉子５５の一方端５５ａは振動膜部材５２の中心を縦方向に貫通している調整桿８３の下端に設けられた挿入孔５７内に挿入され、一方、開閉子５５の他方端５５ｂは小孔４５の出口４５ａを塞ぐように配置されている。小孔４５の出口４５ａと接する開閉子５５の個所にはシール部材５８が設けられている。
【０００８】
小型ガス容器３０を接続部４０に装着すると、接続部４０の逆止弁の外方端が小型ガス容器３０のノズル部３１を押し込んで開弁させガスを噴出させる。噴出したガスは、逆止弁の周囲の隙間を通って、接続部４０と調整室５０との間にある小孔４５に入り、開閉子５５の他方端５５ｂを押し上げて調整室５０に入る。
【０００９】
調整室５０内にガスが入り調整室５０内のガス圧が高まると、振動膜部材５２が戻し部材５３の押圧力に対抗して上昇し、それと共に振動膜部材５２の中心を縦方向に貫通している調整桿８３の下端に設けられた挿入孔５７内に挿入されている開閉子５５の一方端５５ａが上昇する結果、開閉子５５の他方端５５ｂは下降して小孔４５の出口４５ａを塞いで、調整室５０へのガスの流入を阻止する。
【００１０】
調整室５０内のガスが、コック部６０の操作によりガス排出口７０を介して排出されて調整室５０内の圧力が下がると、振動膜部材５２が下降し再び調整室５０内にガスが導入される。
【００１１】
【発明が解決しようとする課題】
調整室５０の圧力調整手段５１を形成している振動膜部材５２は、図９のように円盤状のゴム製のダイヤフラム８１と、アルミニウム等の金属からなるダイヤフラム受８２と、亜鉛ダイカスト製の調整桿８３と、スプリングワッシャー８４と、ナット８５とからなる。
【００１２】
ダイヤフラム８１の上にダイヤフラム受８２が重なるように配置され、ダイヤフラム８１及びダイヤフラム受８２の中心にそれぞれ穿たれた穴に、下方から調整桿８３が挿入される。
【００１３】
調整桿８３は、上述した開閉子５５の一方端が挿入される挿入孔５７を有する下部８３Ｂと、ネジが形成された上部８３Ａと、下部８３Ｂと上部８３Ａとの間にあってダイヤフラム８１及びダイヤフラム受８２の中心にそれぞれ穿たれた穴より大きな径の円形のストッパーを兼ねる中間部８３Ｃとからなる。
【００１４】
調整桿８３の上部８３Ａを、調整桿８３の中間部８３Ｃの上面がダイヤフラム８１の下面と当接するまで、ダイヤフラム８１及びダイヤフラム受８２の中心にそれぞれ穿たれた穴に挿入し、ダイヤフラム受８２より上方に出た調整桿８３の上部８３Ａの部分にスプリングワッシャー８４を装着し、ナット８５を螺合して締め付けることにより、ダイヤフラム８１に調整桿８３が取りつけられる。
【００１５】
しかしながらこのような振動膜部材５２は、第一にガス漏れが生じやすいという欠点がある。即ち、調整桿８３の上部８３Ａをダイヤフラム８１の中心に穿たれた穴に挿入するため、挿入しやすいように調整桿８３の上部８３Ａの外径より、ダイヤフラム８１の穴の径が若干大きくなされている為、調整桿８３の上部８３Ａの外周面と、ダイヤフラム８１の中心の穴の内周面との間に隙間ができ気密にできない。
【００１６】
また、ダイヤフラム８１と調整桿８３との間の気密性を高めるべくナット８５を締め付けていくとダイヤフラム８１に、中心の穴を中心とする回転方向の力が加わり、ゴム製のダイヤフラム８１によれが生じ、ガス漏れがしやすくなる。さらにナット８５の締め付けが強すぎると、ダイヤフラム８１が切れてガス漏れの原因となる。
【００１７】
第二に、従来の振動膜部材５２では、組み立てが面倒であるという欠点がある。即ち、従来の振動膜部材５２は、ダイヤフラム８１と、ダイヤフラム受８２と、調整桿８３と、スプリングワッシャー８４と、ナット８５からなり、その組み立てにはダイヤフラム８１の上にダイヤフラム受８２を重ねる工程と、ダイヤフラム８１の中心の穴とダイヤフラム受８２の中心の穴とに調整桿８３の上部８３Ａを挿入する工程と、調整桿８３の上部８３Ａにスプリングワッシャー８４を装着する工程と、調整桿８３の上部８３Ａにナット８５を螺合して締め付ける工程の少なくとも４工程を必要とする。
【００１８】
さらにナット８５を螺合して締め付ける工程では、まずナット８５を調整桿８３の上部８３Ａのネジに適性にネジ込まれるように仮締めし、その後、増す締め（本締め）するという２段階の締め付け工程が行われるというように、工程数が増えてしまう。
【００１９】
第三に、従来の振動膜部材５２では、ダイヤフラム８１と、ダイヤフラム受８２と、調整桿８３と、スプリングワッシャー８４と、ナット８５の５つの部品からなるというように部品点数が多く、コストが高くなるという欠点がある。
【００２０】
第四に、従来の振動膜部材５２では、調整桿８３は形状乃至構造が複雑なため、亜鉛ダイカスト製のものが使用されているが、このような亜鉛ダイカスト製の部品は、製造段階で「す」が入ったりする為、製造管理が難しく、また、金属疲労の原因になりやすいという欠点がある。
【００２１】
本発明はかかる欠点を克服した、ガス漏れがなく、製造の際の組み立てが容易で、コストも高くならず、金属疲労等が生じない、ダイヤフラム、振動膜部材及びこのような振動膜部材を有した、ガス器具の圧力調整器を提供することを目的としている。
【００２２】
【課題を解決するための手段】
本発明のダイヤフラムは、円盤状の本体部と、該本体部の上面の中心から上方に伸びる上方突出部と、本体部の下面の中心から下方に伸延しその伸延方向と交差する方向に、調整室に導入されるガスを制御する制御部材の一方端が挿入される挿入孔を有する下方突出部とを有し、これら各部が弾性材料により一体に成形されていることを特徴とする。
【００２３】
ダイヤフラムはまた、上方突出部の根元付近に、ダイヤフラム上に重畳配置されるダイヤフラム受の中心の穴と嵌合するくびれ部を有し、該くびれ部の上方に止め具と係合する係合部を有するようになされ、また下方突出部材が、本体部に連接して設けられた拡大部と、該拡大部から下方に伸延している伸延部とを有し、伸延部にガスを制御する制御部材の一方端が挿入される挿入孔が設けられている。
【００２４】
さらに本発明の振動膜部材は、振動膜部材が、円盤状の本体部と、該本体部の上面の中心から上方に伸びる上方突出部と、本体部の下面の中心から下方に伸延しその伸延方向と交差する方向に、調整室に導入されるガスを制御する制御部材の一方端が挿入される挿入孔を有する下方突出部とが弾性材料により一体に成形されてなるダイヤフラムと、中心に上記ダイヤフラムの上方突出部が貫通する穴を有するダイヤフラム上に重畳配置されるダイヤフラム受と、ダイヤフラム受の中心の穴を貫通して突出するダイヤフラムの上方突出部に嵌合してダイヤフラム上に重畳配置されたダイヤフラム受を固定する止め具とを具備する。
【００２５】
また本発明のガス器具用の圧力調整器は、円盤状の本体部と、該本体部の上面の中心から上方に伸びる上方突出部と、本体部の下面の中心から下方に伸延しその伸延方向と交差する方向に、調整室に導入されるガスを制御する制御部材の一方端が挿入される挿入孔を有する下方突出部とが弾性材料により一体に成形されてなるダイヤフラムと、中心に上記ダイヤフラムの上方突出部が貫通する穴を有するダイヤフラム上に重畳配置されるダイヤフラム受と、ダイヤフラム受の中心の穴を貫通して突出するダイヤフラムの上方突出部に嵌合してダイヤフラム上に重畳配置されたダイヤフラム受を固定する止め具とを具備する振動膜部材を有するように構成されている。
【００２６】
【発明の実施の形態】
図１において、本発明の振動膜部材１は、円盤状のダイヤフラム２と、ダイヤフラム２の上に重畳配置される円盤状のダイヤフラム受３と、ダイヤフラム２上に重畳配置されたダイヤフラム受３をダイヤフラム２に固定する為の止め具４とを具備する。
【００２７】
図２〜４のように、ダイヤフラム２は、円盤状の本体部５と、該本体部５の上面の中心から上方に伸びる丸棒状の上方突出部６と、本体部５の下面の中心から下方に伸びる下方突出部７とを有し、これら各部は一体に形成されている。
【００２８】
ダイヤフラム２は、ゴムや合成樹脂等の弾性材料からなり、ゴムとしては例えばＮＢＲ（アクリロニトリルーブタジエンゴム）が使用できる。
【００２９】
本体部５の大きさは様々であるが、例えば直径が１３ｍｍから１５０ｍｍのものが使用される。また厚さは例えば０．１ｍｍから１ｍｍのものが使用される。
【００３０】
本体部５の上面の上方突出部６の周囲には、ダイヤフラム受３を重畳した際にダイヤフラム受３を位置決め固定すべく、ダイヤフラム受３の形状に相応する大きさの凹部８が設けられている。
【００３１】
また、本体部５の下面の周縁には、本体部５の周縁が調整室９（図５）と該調整室９にかぶせられるカバー１０との間に挟まれて固定される際に、固定しやすいように調整室９の周囲の溝１１と嵌合する下向きの突条１２が円周状に設けられている。１０ａはバネよりなる戻し部材である。
【００３２】
図２のように上方突出部６の根元付近には、くびれ部１３が形成され、ここにダイヤフラム受３の中心の穴１９が嵌合して位置決め固定される。またこのくびれ部１３の上方に止め具４と係合する係合部１４が設けられ、ここに止め具４が嵌合し、本体部５上に重畳配置されたダイヤフラム受３を固定する。
【００３３】
本体部５の下面の中心から下方に伸延している下方突出部７は、補強の為に本体部５に連接して設けられた横断面が円形の拡大部１５と、該拡大部から下方に伸延している横断面が角形の伸延部１６とを有している。伸延部１６には、その伸延方向と交差する方向に挿入孔１７が設けられ、この挿入孔１７に調整室９に導入されるガスを制御する制御部材である開閉子１８の一方端が挿入される。
【００３４】
ダイヤフラム受３は、金属製で、例えばアルミニウム、メッキされた鉄板、亜鉛鋼板などからなる。ダイヤフラム受３の中心にはダイヤフラム２の上方突出部６が挿入される穴１９が設けられている。
【００３５】
止め具４は、上方突出部６の係合部１４にワンタッチで嵌合するだけで、ダイヤフラム２上に重畳配置されたダイヤフラム受３を固定できるようなものが好ましく、例えばＣＳ型の止め輪や、Ｅリングなどが使用される。
【００３６】
本発明の振動膜部材１の組み立ては、ダイヤフラム２の上方突出部６をダイヤフラム受３の中心の穴１９に挿入して、ダイヤフラム受３をダイヤフラム２の上面に重畳し、上方突出部６の係合部１４に止め具４を嵌合してダイヤフラム受３を固定するだけで完了する。
【００３７】
【発明の効果】
本発明のダイヤフラム、振動膜部材及び圧力調整器では、ダイヤフラムを構成する本体部、上方突出部及び下方突出部が弾性材料で一体に成形されているので、ガス漏れが生じる心配が全くない。
【００３８】
また、本発明の振動膜部材及び圧力調整器では、振動膜部材の組み立てに際し、ダイヤフラムの上方突出部をダイヤフラム受の中心の穴に挿入して、ダイヤフラム受をダイヤフラムの上面に重畳する工程と、上方突出部に止め具を嵌合してダイヤフラム受を固定する工程の２工程だけで完了し、ネジの仮締めや本締めも不要であるので、製造組み立て作業が短時間で簡単に済み効率的である。
【００３９】
さらにダイヤフラムの上方突出部の根元付近にくびれ部が設けられているので、上方突出部にダイヤフラム受の中心の穴を挿入した場合に、位置決め及び固定が確実且つ容易にでき、ダイヤフラム受を重畳する工程での作業効率が上がる。
【００４０】
また下方突出部に、本体部に連接して拡大部が設けられて補強され、該拡大部から下方に伸延している伸延部にガスを制御する制御部材の一方端が挿入される挿入孔が設けられているので、下方突出部は制御部材の頻繁に行われる上下方向の運動に対しても十分耐えることができ耐久性が向上する。
【００４１】
さらに本発明の振動膜部材及び圧力調整器では、振動膜部材を構成する部品点数が少なくコストの削減が図れる。
【００４２】
また、本発明の振動膜部材及び圧力調整器では、振動膜部材に亜鉛ダイカスト製の部品などが使用されていないため、金属疲労の原因となる部品がなく、長期間の使用に耐えるという利点がある。
【図面の簡単な説明】
【図１】本発明の振動膜部材の断面図。
【図２】ダイヤフラムの断面図。
【図３】ダイヤフラムを斜上方から見た斜視図。
【図４】ダイヤフラムを斜下方から見た斜視図。
【図５】本発明の圧力調整器の分解図。
【図６】圧力調整器の一例を示す図。
【図７】従来の振動膜部材を有する圧力調整器の分解図。
【図８】従来の圧力調整器の断面図。
【図９】従来の振動膜部材の断面図。
【符号の説明】
１  振動膜部材
２  ダイヤフラム
３  ダイヤフラム受
４  止め具
５  本体部
６  上方突出部
７  下方突出部
８  凹部
９  調整室
１０  カバー
１１  溝
１２  突条
１３  くびれ部
１４  係合部
１５  拡大部
１６  伸延部
１７  挿入孔
１８  制御部材（開閉子）
１９  穴
【図１】
0003715264.tif 000002
【図２】
0003715264.tif 000003
【図３】
0003715264.tif 000004
【図４】
0003715264.tif 000005
【図５】
0003715264.tif 000006
【図６】
0003715264.tif 000007
【図７】
0003715264.tif 000008
【図８】
0003715264.tif 000009
【図９】
0003715264.tif 000010